(57)【要約】【課題】２枚の前後プレートとリールタインのボルトにより仮止め作業を要するので、部品点数および組立工数が多いという課題がある。【解決手段】オーガー１０を軸装したオーガーフレーム１１に、掻込リール１２と、刈刃１３とを設けて構成し、前記掻込リール１２は、リール回転軸１５に、放射方向に突出するスラットアーム１７を複数有する左右一対のスラットフレーム１６の中心を取付け、前記各スラットアーム１７の先端にはスラットバー１８を夫々取付け、各スラットバー１８には前板２１と後板２２と底板２３とを有する箱形状に形成したリールタイン１９の取付用のステー２０を取付け、ステー２０の底板２３にはリールタイン１９の取付部２６を挿入する複数の挿入孔２５を左右方向に所定間隔をおいて形成し、リールタイン１９の取付部２６は掻込時の負荷を吸収するリールタイン１９のコイル部２８より上方に設けて構成した刈取装置。【選択図】図３
2017225421.tif 000002
【特許請求の範囲】
【請求項１】
オーガー（１０）を軸装したオーガーフレーム（１１）に、掻込リール（１２）と、刈刃（１３）とを設けて構成し、前記掻込リール（１２）は、リール回転軸（１５）に、放射方向に突出するスラットアーム（１７）を複数有する左右一対のスラットフレーム（１６）の中心を取付け、前記各スラットアーム（１７）の先端にはスラットバー（１８）を夫々取付け、各スラットバー（１８）にはリールタイン（１９）を取付け、各スラットバー（１８）には前板（２１）と後板（２２）と底板（２３）とを有する箱形状に形成したリールタイン（１９）の取付用のステー（２０）を取付け、ステー（２０）の底板（２３）にはリールタイン（１９）の取付部（２６）を挿入する複数の挿入孔（２５）を左右方向に所定間隔をおいて形成し、リールタイン（１９）の取付部（２６）は掻込時の負荷を吸収するリールタイン（１９）のコイル部（２８）より上方に設けて構成した刈取装置。
【請求項２】
請求項１記載の発明において、前記取付部（２６）は、前後方向のボルト（２７）に対して上方から係合する形状に形成した刈取装置。
【請求項３】
請求項２記載の発明において、前記取付部（２６）は、逆さ「Ｕ」の字形状に形成した刈取装置。
【請求項４】
請求項１または請求項２または請求項３記載の発明において、前記ステー（２０）の前面側には、縦板状の取付部（３３）の下方にコイル部（２８）を包囲する円弧部（３４）を有するカバー（３２）を設けた刈取装置。
【発明の詳細な説明】
【技術分野】
【０００１】
本発明は、刈取装置に係るものである。
【背景技術】
【０００２】
従来、オーガーフレームに、リールと、刈刃とオーガーを設けて構成した刈取装置を設けた刈取装置の構成は、公知である（特許文献１）。
公知の掻込リールのリールタインは、公報に記載はないが、前後のプレートをスラットバーにボルトにより仮止めし、仮止めした前後のプレートによりリールタインを挾持し、この状態でリールタインをボルトにより仮止めし、仮止めしたプレートとリールタインとを夫々位置調節して本締め取り付けしている。
【先行技術文献】
【特許文献】
【０００３】
【特許文献１】特開２０１６−６３７９３号公報
【発明の概要】
【発明が解決しようとする課題】
【０００４】
前記公知例は、２枚の前後プレートとリールタインのボルトにより仮止め作業を要するので、部品点数および組立工数が多いという課題がある。
本願は、リールタインの取付構成および組立工程の簡素化を図ると共に、穀稈の巻き付きを抑制したものである。
【課題を解決するための手段】
【０００５】
請求項１記載の発明は、オーガー１０を軸装したオーガーフレーム１１に、掻込リール１２と、刈刃１３とを設けて構成し、前記掻込リール１２は、リール回転軸１５に、放射方向に突出するスラットアーム１７を複数有する左右一対のスラットフレーム１６の中心を取付け、前記各スラットアーム１７の先端にはスラットバー１８を夫々取付け、各スラットバー１８にはリールタイン１９を取付け、各スラットバー１８には前板２１と後板２２と底板２３とを有する箱形状に形成したリールタイン１９の取付用のステー２０を取付け、ステー２０の底板２３にはリールタイン１９の取付部２６を挿入する複数の挿入孔２５を左右方向に所定間隔をおいて形成し、リールタイン１９の取付部２６は掻込時の負荷を吸収するリールタイン１９のコイル部２８より上方に設けて構成した刈取装置としたものである。
請求項２記載の発明は、前記取付部２６は、前後方向のボルト２７に対して上方から係合する形状に形成した刈取装置としたものである。
請求項３記載の発明は、前記取付部２６は、逆さ「Ｕ」の字形状に形成した刈取装置としたものである。
請求項４記載の発明は、前記ステー２０の前面側には、縦板状の取付部取付部３３の下方にコイル部２８を包囲する円弧部３４を有するカバー３２を設けた刈取装置としたものである。
【発明の効果】
【０００６】
請求項１記載の発明では、組立てた取付用ステー２０をスラットバー１８に予め固定しているので、リールタイン１９の取付に際してのステー２０の組立は不要になり、このステー２０の底板２３にリールタイン１９の取付部２６を挿入する挿入孔２５を形成しているので、リールタイン１９の取付部２６を挿入孔２５に挿入した後ボルト２７により固定すればよく、リールタイン１９の仮止め作業を不要にでき、また、リールタイン１９の取付部２６お取付部分がステー２０内に収容されて外部に露出せず、穀稈（藁屑）の引っ掛かりあるいは巻き付きを防止でき、掻込作用を円滑・確実に行うことができる。また、リールタイン１９の着脱・交換を容易にできる。
請求項２記載の発明では、取付部２６は、ボルト２７に上方から係合する形状なので、取付部２６とボルト２７との係合により、掻込時の抜け方向の負荷を確実に支持し、リールタイン１９の外れを防止できる。
請求項３記載の発明では、取付部２６を逆さ「Ｕ」の字形状に形成しているので、簡単な構成でリールタイン１９の外れを防止できる。
請求項４記載の発明では、ステー２０の前面側にはカバー３２を設けているので、カバー３２によりスラットバー１８のステー２０およびリールタイン１９のコイル部２８を包囲して穀稈が引っ掛かるのを抑制できる。
【図面の簡単な説明】
【０００７】
【図１】コンバインの側面図
【図２】刈取装置の側面図
【図３】掻込リールの一部正面図。
【図４】リールタインの取付状態斜視図。
【図５】（Ａ）取付前のリールタインの側面図。                                        （Ｂ）取付御のリールタインの側面図。                                        （Ｃ）カバー一部側面図。
【図６】カバーの正面図。
【図７】同側面図。
【図８】コンバインの正面図。
【図９】防塵用ファンを設けたコンバインの側面図。
【図１０】同他の実施形態の側面図。
【図１１】同他の実施形態の正面図。
【図１２】同他の実施形態の側面図および防塵用ファン伝動回路図。
【図１３】搬送エレベータの一部平面図。
【図１４】同一部側面図。
【図１５】同他の実施形態の平面図。
【図１６】揺動選別棚の平面図および側面図。
【図１７】同他の実施形態の平面図および側面図。
【発明を実施するための形態】
【０００８】
本発明の実施形態の一例を図面により説明すると、１は機体フレーム（図６）、２は機体フレーム１の下部に設けた走行装置、３は機体フレーム１上に設けた脱穀装置、４は脱穀装置３の前方に設けた刈取装置、５はグレンタンク、６は操縦部である。
刈取装置４は、オーガー１０を軸装したオーガーフレーム１１に、掻込リール１２と、刈刃１３とを設けて構成し、オーガーフレーム１１には搬送エレベーター１４の先端を取付け、搬送エレベーター１４の基部は脱穀装置３の脱穀室に接続する。
掻込リール１２は、図１、図２に示すように、リール回転軸１５に左右一対のスラットフレーム１６の中心を取付け、スラットフレーム１６の放射方向に突出するスラットアーム１７の先端にはスラットバー１８を夫々取付け、各スラットバー１８にはリールタイン１９を取付けて構成している。
【０００９】
スラットバー１８には、リールタイン１９の取付用のステー２０を取付ける。ステー２０は、前板２１と後板２２と底板２３とにより、縦長の箱形状に形成し、前板２１と後板２２の上部をスラットバー１８の下面に固定する。ステー２０の底板２３には左右方向に所定間隔をおいて複数の挿入孔２５を形成し、挿入孔２５にリールタイン１９の取付部２６を挿入してボルト２７により固定する。
そのため、リールタイン１９は、取付部２６をステー２０に差し込んでボルト２７により止めるので、リールタイン１９の取付部２６はステー２０の外部に露出せず、穀稈（藁屑）の引っ掛かりあるいは巻き付きを防止でき、掻込作用を円滑・確実に行える。
【００１０】
前記取付部２６は、リールタイン１９のコイル部２８より上方に設ける。
コイル部２８は、リールタイン１９の長さ方向に対して交差方向に軸心が位置するように、リールタイン１９に形成し、コイル部２８はリールタイン１９の掻込時の負荷を吸収して変形を防止するものであり、このコイル部２８の上面より上方のリールタイン１９の部位に取付部２６を設ける。
そのため、取付部２６をステー２０内に収納して藁屑の引っ掛かりあるいは巻き付きを防止できると共に、コイル部２８を良好に作用させることができる。
取付部２６は、前後方向のボルト２７に対して上方から係合する形状に形成する。
そのため、リールタイン１９は、取付部２６とボルト２７との係合により、掻込時の抜け方向の負荷を確実に支持し、外れを防止できる。
【００１１】
好適には、逆さ「Ｕ」の字形状に取付部２６を形成すると、下方の抜け、および、左右方向のガタ付きを防止できる。
２９はステー２０に形成したボルト２７の挿入用孔、３０はステー２０の後板２２に固定したナットである。
ステー２０の前面側には、リールタイン１９のコイル部２８を包囲するカバー３２の前側カバー３２Ａを設ける。前側カバー３２Ａは縦板状の取付部３３の下方にコイル部２８を包囲する円弧部３４を設けて構成し、リールタイン１９と共にボルト２７によりステー２０に一体状に取付ける。
また、後板２２の後面には後側カバー３２Ｂを取付ける。
この場合、前側カバー３２Ａの円弧部３４の下端は、後側カバー３２Ｂの前面に当接するように構成する。
【００１２】
そのため、カバー３２は、前側カバー３２Ａの上向き端面３２Ｃを後側カバー３２Ｂの前面側に位置させて、上向き端面３２Ｃと穀稈との当接を防止し、掻込時の抵抗になるのを抑制する。
３２Ｅはナット、３２Ｆはボルトである。
しかして、ステー２０の挿入孔２５およびボルト２７は、所定間隔をおいて、複数並設するが、予め、間隔を相違させて、複数並設する。
そのため、機種により、リールタイン１９の間隔を変更させての装着を容易にでき、汎用性・共用化でき、好適である。
また、図５のカバー３２は、前側カバー３２Ａと後側カバー３２Ｂとを分割形成しているが、これらを連結してスラットバー１８およびステー２０の全周囲を包囲する形状であってもよい。
【００１３】
図６、７は、操縦部６のカバー３５を示し、上部前側カバー３６と上部側部カバー３７との間に上部中間カバー３７Ａを設け、上部中間カバー３７Ａの下方に下部中間カバー３８を設け、前記上部側部カバー３７の下方に下部側部カバー３９を設ける。
そのため、操縦部６の下方に設けたミッションケース（図示省略）や無段変速装置（図示省略）を包囲でき、塵埃の付着を防止し、また、これらを包囲することにより、外観性を向上させることができる。
また、下部中間カバー３８および下部側部カバー３９は、操縦部６の運転席（図示省略）の下方のエンジン（図示省略）からの熱気を矢印のように誘導して、運転席周辺に上昇するのを抑制させる効果も期待できる。
【００１４】
また、図示は省略するが、上部前側カバー３６と上部側部カバー３７と上部中間カバー３７Ａと、下部中間カバー３８および下部側部カバー３９との合わせ部（継ぎ目部分）に、刈取装置４への油圧配管を通すことができる。
図８、９は、操縦部６のカバー３５の前面位置に、オーガーフレーム１１上に向けて送風する防塵用ファン４２を設ける。
刈取装置４では、前記掻込リール１２の回転風により操縦部６に向かって塵埃が送られることがあるが、防塵用ファン４２により前方に向けて送風することにより、塵埃の吹きつけを抑制する。
防塵用ファン４２はカバー３５にステー４３により取付ける。
【００１５】
防塵用ファン４２は、操縦部６と同幅の左右幅で、カバー３５の上面から下方あって、オーガーフレーム１１の上面１１Ａより上方の上下幅に亘って、例えば、図９のラインＬとラインＬの間、送風する構成としている。
また、図１０のように、操縦部６のステップ６Ａより下方に防塵用ファン４２を配置し、操縦部６の下方から前記カバー３５（図１１の下部前側カバー３７Ｂの下縁参照）の下端より下方に排気ダクト４５を設け、排気ダクト４５の後部はエンジン４６下方近傍に開口させ、排気ダクト４５の前端は防塵用ファン４２の下方に開口させる。
そのため、排気ダクト４５の前端は防塵用ファン４２により吸引され、エンジン周辺の熱気をオーガーフレーム１１に向けて排風でき、運転席への熱気上昇を抑制することができる。
６Ｂはステップ６Ａの下方に設けたオイルタンクである。
【００１６】
図１１は、運転席への熱気上昇を抑制する他の構成であり、前記カバー３５の下部前側カバー３７Ｂに多数の通気口（通気孔）４７を設ける。
そのため、下部中間カバー３８の前面付近は防塵用ファン４２により吸引され、エンジン周辺の熱気をオーガーフレーム１１に向けて排風でき、運転席への熱気上昇を抑制することができる。
図１２は、運転席への熱気上昇を抑制する他の構成であり、防塵用ファン４２を刈取装置４のオーガーフレーム１１の後側上部に設け、蛇腹状に形成した前記排気ダクト（図示省略）の前端（先端）を防塵用ファン４２の後面に臨ませる。
そのため、排気ダクト内を防塵用ファン４２により吸引し、エンジン周辺の熱気をオーガーフレーム１１に向けて排風でき、運転席への熱気上昇を抑制することができる。
【００１７】
この場合、防塵用ファン４２は、掻込リール１２へ駆動回転を伝達するリール伝動経路から駆動回転を伝達する構成としてもよい。
即ち、エンジンからの駆動回転が入力される入力歯車４８に中間歯車４９を一体状に形成し、中間歯車４９に噛み合わせた中間歯車５０とベベルギヤ５１により防塵用ファン４２を回転させる（図１２）。
図１３のように、搬送エレベーター１４内の駆動軸５５には駆動歯車５６を設け、駆動歯車５６の外側の駆動軸５５には巻き付き防止カラー５７を設け、巻き付き防止カラー５７にはスクレーパ５８の先端を摺接させる。スクレーパ５８は搬送エレベーター１４の側板５９にステー６０により左右方向に移動自在に取付ける。
そのため、ステー６０は駆動歯車５６の側面との隙間を回転に支障が生じない範囲で可及的に少なくして略密着状態とする。
そのため、駆動歯車５６への藁屑の巻き付きを抑制し、メンテナンスを容易にする。
【００１８】
また、ステー６０を前後方向に移動自在に側板５９に取付ける。
また、図１５のように、巻き付き防止カラー５７の内端は、駆動歯車５６の側面に形成した嵌合溝６１内に嵌合させ、巻き付き防止カラー５７の内面と駆動歯車５６の外面とを互いに重なる構成としてもよい。
図１６は、脱穀装置３の揺動選別棚６３を示し、揺動選別棚６３の始端部に移送棚部６４を設け、移送棚部６４の終端下方にシーブ６５を並設し、シーブ６５の終端にストローラック６６を設けている。
シーブ６５の下方には一番コンベア６７と二番コンベア６８を設けており、一番コンベア６７の上方であってシーブ６５の上方に篩線７０を設ける。
そのため、大きい藁屑は、一番コンベア６７より終端側まで篩線７０により落下が抑制され、選別精度を向上させられる。
【００１９】
また、図１７にように、前記篩線７０を第一篩線７０とし、第一篩線７０の終端上方に第二篩線７１を設け、第二篩線７１の終端は一番受樋７２より終端側に位置させる。
そのため、一層、一番コンベア６７への藁屑の落下を抑制し、選別精度を向上させられる。
また、前記篩線７０と第二篩線７１に代えてネットを設けてもよい。
【００２０】
（実施形態の作用）
エンジンを始動し、走行装置２により機体を走行させると、掻込リール１２が回転し、未刈稈を掻き込み、掻込んだ穀稈を刈刃１３で刈取り、刈取った穀稈および穀粒を回転するオーガー１０により集め、回転するオーガー１０は穀稈および穀粒を搬送エレベーター１４内へ供給し、穀稈および穀粒は搬送エレベーター１４により脱穀装置３へ供給されて脱穀される。
掻込リール１２は、リール回転軸１５に左右一対のスラットフレーム１６の各スラットアーム１７の中心を取付け、各スラットアーム１７の先端にはスラットバー１８を取付け、各スラットバー１８にはリールタイン１９を取付けて構成しているので、リール回転軸１５にエンジンの駆動回転が伝達され、リール回転軸１５は左右一対のスラットフレーム１６を回転させ、これにより各スラットアーム１７およびスラットバー１８が回転し、各スラットバー１８のリールタイン１９が回転して圃場の穀稈を掻き込む。
【００２１】
各スラットバー１８にはリールタイン１９の取付用のステー２０を取付け、ステー２０は前板２１と後板２２と底板２３とにより縦長の箱形状に形成し、ステー２０の底板２３には左右方向に所定間隔をおいて複数の挿入孔２５を形成しているので、挿入孔２５にリールタイン１９の取付部２６を下側から挿入し、ステー２０の前側からボルト２７を挿入して固定する。
したがって、リールタイン１９は、取付部２６をステー２０に下側から差し込んでボルト２７により止めるので、リールタイン１９の取付部２６はステー２０の外部に露出せず、穀稈（藁屑）の引っ掛かりあるいは巻き付きを防止でき、掻込作用を円滑・確実に行える。
【００２２】
取付部２６は、掻込時の負荷を吸収するリールタイン１９のコイル部２８より上方に設けているので、取付部２６をステー２０内に収納して藁屑の引っ掛かりあるいは巻き付きを防止できると共に、コイル部２８を良好に作用させることができる。
即ち、コイル部２８は、リールタイン１９の長さ方向に対して交差方向に軸心が位置するように形成し、コイル部２８の上面より上方のリールタイン１９の部位に取付部２６を設けているので、取付部２６はステー２０内に挿入しうる充分長さを有して形成することができ、リールタイン１９の取付を容易にする。
取付部２６は、前後方向のボルト２７に対して上方から係合する形状に形成しているので、リールタイン１９は、取付部２６とボルト２７との係合により、掻込時の抜け方向の負荷を確実に支持し、外れを防止できる。
【００２３】
取付部２６は、本実施形態では、逆さ「Ｕ」の字形状に形成しているので、リールタイン１９が下方に抜ける負荷を支持できて、リールタイン１９が抜けるのを防止できると共に、左右方向のガタ付きを防止できる。
ステー２０の前面側には、リールタイン１９のコイル部２８を包囲するカバーカバー３２を設け、カバー３２は縦板状の取付部３３の下方にコイル部２８を包囲する円弧部３４を設けて構成し、リールタイン１９と共にボルト２７によりステー２０に一体状に取付けるので、カバー３２はスラットバー１８のステー２０およびリールタイン１９のコイル部２８をも包囲できて、穀稈が引っ掛かるのを抑制できる。
この場合、カバー３２の円弧部３４の下端は、ステー２０の後板２２の前面に当接するように構成しているので、カバー３２とステー２０の後板２２との段差が掻込時の抵抗になるのを抑制する。
【００２４】
しかして、ステー２０の挿入孔２５およびボルト２７は、所定間隔をおいて、複数並設するが、予め、間隔を相違させて、複数並設しているので、機種により、リールタイン１９の間隔を変更させての装着を容易にでき、汎用性・共用化でき、好適である。
また、ステー２０は、挿入孔２５の部分を除いて、底板２３によりステー２０の下面側を閉塞しているので、穀稈屑の侵入を防止し、これにより、穀稈のスラットバー１８への巻き付きを抑制する。
【符号の説明】
【００２５】
１…機体フレーム、２…走行装置、３…脱穀装置、４…刈取装置、５…グレンタンク、６…操縦部、１０…オーガー、１１…オーガーフレーム、１２…掻込リール、１３…刈刃、１４…搬送エレベーター、１５…リール回転軸、１６…スラットフレーム、１７…スラットアーム、１８…スラットバー、１９…リールタイン、２０…ステー、２１…前板、２２…後板、２３…底板、２５…挿入孔、２６…取付部、２７…ボルト、２８…コイル部、２９…挿入用孔、３０…ナット、３２…カバー、３３…取付部、３４…円弧部、３５…カバー、３６…上部前側カバー、３７…上部側部カバー、３８…下部中間カバー、３９…下部側部カバー、４２…防塵用ファン、４３…ステー、４５…排気ダクト、４７…通気口、４８…入力歯車、４９…中間歯車、５０…中間歯車、５１…ベベルギヤ、５５…駆動軸、５６…駆動歯車、５７…巻き付き防止カラー、５８…スクレーパ、５９…側板、６０…ステー、６３…揺動選別棚、６４…移送棚部、６５…シーブ、６６…ストローラック、６７…一番コンベア、６８…二番コンベア、７０…篩線（第一篩線）、７１…第二篩線、７２…一番受樋。
【図１】
2017225421.tif 000003
【図２】
2017225421.tif 000004
【図３】
2017225421.tif 000005
【図４】
2017225421.tif 000006
【図５】
2017225421.tif 000007
【図６】
2017225421.tif 000008
【図７】
2017225421.tif 000009
【図８】
2017225421.tif 000010
【図９】
2017225421.tif 000011
【図１０】
2017225421.tif 000012
【図１１】
2017225421.tif 000013
【図１２】
2017225421.tif 000014
【図１３】
2017225421.tif 000015
【図１４】
2017225421.tif 000016
【図１５】
2017225421.tif 000017
【図１６】
2017225421.tif 000018
【図１７】
2017225421.tif 000019